(57)【要約】【課題】柔らかく、重力により下垂して上部に削げが生じるような乳房に対し、乳房上部のボリュームを確実にアップさせて削げを解消すること。【解決手段】カップ部１１において、着用状態で、乳房下部の前中心側を覆う第１カップ部１１ａと、第１カップ部１１ａの脇側に位置する第２カップ部１１ｂと、第２カップ部１１ｂの上側に位置する第３カップ部１１ｃと、を備え、カップ形状を保持する作用は、第１カップ部１１ａの方が第２カップ部１１ｂおよび第３カップ部１１ｃよりも大きい【選択図】図２
2006132048.tif 000002
【特許請求の範囲】
【請求項１】
乳房を覆うためのカップであって、
着用状態で、乳房下部の前中心側を覆う第１カップ部と、
前記第１カップ部の脇側に位置するとともに、乳房下部の脇側を覆う第２カップ部と、
前記第２カップ部の上側に位置するとともに、乳房上部の脇側を覆う第３カップ部と、
を備え、
カップ形状を保持する作用は、前記第１カップ部の方が前記第２カップ部および前記第３カップ部よりも大きい、ことを特徴とするカップ。
【請求項２】
着用状態で、乳房上部のうち、少なくとも乳房トップ直上から前中心側に至る領域を覆う第４カップ部をさらに備え、
カップ形状を保持する作用は、前記第２カップ部および前記第３カップ部の方が前記第４カップ部よりも大きい、ことを特徴とする請求項１に記載のカップ。
【請求項３】
乳房を覆うためのカップであって、
着用状態で、乳房下部の前中心側を覆う第１カップ部と、
前記第１カップ部の脇側に位置するとともに、乳房下部の脇側を覆う第２カップ部と、
前記第２カップ部の上側に位置するとともに、乳房上部の脇側を覆う第３カップ部と、
を備え、
肌側の厚みは、前記第１カップ部の方が前記第２カップ部および前記第３カップ部よりも厚い、ことを特徴とするカップ。
【請求項４】
着用状態で、乳房上部のうち、少なくとも乳房トップ直上から前中心側に至る領域を覆う第４カップ部をさらに備え、
肌側の厚みは、前記第２カップ部および前記第３カップ部の方が前記第４カップ部よりも厚い、ことを特徴とする請求項３に記載のカップ。
【請求項５】
乳房を覆うためのカップであって、
着用状態で、乳房下部の前中心側を覆う第１カップ部と、
前記第１カップ部の脇側に位置するとともに、乳房下部の脇側を覆う第２カップ部と、
前記第２カップ部の上側に位置するとともに、乳房上部の脇側を覆う第３カップ部と、
を備え、
肌側の構成素材は、前記第１カップ部の方が前記第２カップ部および前記第３カップ部より大きく圧縮されている、ことを特徴とするカップ。
【請求項６】
着用状態で、乳房上部のうち、少なくとも乳房トップ直上から前中心側に至る領域を覆う第４カップ部をさらに備え、
肌側の厚みは、前記第２カップ部および前記第３カップ部の方が前記第４カップ部よりも大きく圧縮されている、ことを特徴とする請求項５に記載のカップ。
【請求項７】
請求項１〜６のうち何れか一項に記載のカップと、肩ストラップ部と、を各々一対ずつ備え、
前記一対の肩ストラップ部の各々は、前記一対のカップの各々に対し脇側の上端に取り付けられている、ことを特徴とするカップ付き女性用衣類。
【請求項８】
前記カップのサイズは、５／８カップからフルカップまでの範囲にある、ことを特徴とする請求項７に記載のカップ付き女性用衣類。
【発明の詳細な説明】
【技術分野】
【０００１】
本発明は、カップおよびカップ付き女性用衣類に関する。
【背景技術】
【０００２】
例えばブラジャーなどのカップ付き女性用衣類は、下着としての機能を果たすだけでなく、女性としての体型美を実現するため、乳房の形状を整えて美しいプロポーションを創り出す機能をも果たすことが要求されている。このような女性用衣類として、例えば、特許文献１には、脇側と前中心側とを乳房トップ側に向けて圧力を加え、これにより乳房トップ近傍にボリュームを集めるカップに係る技術が開示されている。さらに、特許文献２には、乳房下部を押し上げて乳房上部側に向けてボリュームを移動させるカップに係る技術が開示されている。ここで「上」「下」の記載は着用者の視点を基準としたものである(以下同様)。
【特許文献１】実用新案登録第３０３９３８３号公報
【特許文献２】実開平６−７９７０７号公報
【発明の開示】
【発明が解決しようとする課題】
【０００３】
しかし、乳房が柔らかく、重力により下垂して上部に削げが生じるような乳房に対し、乳房形状を整形して、乳房上部のボリュームをアップして削げを解消しようとする場合、上記従来型のカップのように、単に、脇側と前中心側とに対して乳房トップ側に向けて圧力を加えたり、あるいは、乳房下部を押し上げたりするだけでは、乳房上部にまで十分にボリュームが集まらず、したがって乳房上部の削げの解消までには至らない場合が多い。
【０００４】
本発明の課題は、柔らかく、重力により下垂して上部に削げが生じるような乳房に対し、乳房上部のボリュームを確実にアップさせて削げの解消が可能なカップおよびカップ付き女性用衣類を提供することである。
【課題を解決するための手段】
【０００５】
本発明のカップは、乳房を覆うためのカップであって、着用状態で、乳房下部の前中心側を覆う第１カップ部と、上記第１カップ部の脇側に位置するとともに、乳房下部の脇側を覆う第２カップ部と、上記第２カップ部の上側に位置するとともに、乳房上部の脇側を覆う第３カップ部と、を備え、カップ形状を保持する作用は、上記第１カップ部の方が上記第２カップ部および上記第３カップ部よりも大きい、ことを特徴とする。
【０００６】
ここで、上記の「カップ形状を保持する作用」とは、外力がカップに加わる際に、カップ本来の形状を保とうとする作用（以下、保形作用、という）を表す。この保形作用は、カップの着用時においては、乳房に加えられる圧力となり、例えば、厚みや構成素材の圧縮の程度などによって調整可能なものである。この保形作用によって乳房形状の整形が可能となる。
【０００７】
本発明によれば、第２カップ部が、その保形作用によって乳房下部の脇側を包み込むようにして押さえつつ、第１カップ部が、さらに大きな保形作用で乳房下部の前中心側のボリュームを乳房トップ側に押し上げる。これにより、乳房下部のボリュームが、脇側に流れることなく乳房上部に向けて押し上げられる。そして、第３カップ部が、第２カップ部と同程度の保形作用で乳房上部の脇側を包み込むようにして押さえるため、上記のようにして乳房上部に押し上げられたボリュームが、乳房上部にあって脇側に流れることなく乳房トップ直上に集まることとなる。このため、柔らかく、重力により下垂して乳房上部に削げが生じるような乳房であっても、乳房上部にボリューム感を持たせることができ、乳房上部の削げを解消できる。
【０００８】
また、本発明では、着用状態で、乳房上部のうち、少なくとも乳房トップ直上から前中心側に至る領域を覆う第４カップ部をさらに備え、カップ形状を保持する作用は、上記第２カップ部および上記第３カップ部の方が上記第４カップ部よりも大きいのが好ましい。この場合、第１カップ部、第２カップ部および第３カップ部の方が第４カップ部よりも保形作用が大きいため、乳房上部のうち乳房トップ直上に移動したボリュームが、第４カップ部によって潰される（或いは、乳房下部側に戻される）ことなく、乳房トップ直上から前中心側にわたって分散される。これにより、第４カップ部は、乳房に対し、乳房トップ直上から前中心側にわたりほぼ満遍なくフィットした状態となるため、第４カップ部やその上縁部が乳房に食い込んだり、乳房表面から浮いたりする、という不具合が生じにくくなる。これにより、カップの安定性と着用感とが何れも良好となる。
【０００９】
本発明のカップは、乳房を覆うためのカップであって、着用状態で、乳房下部の前中心側を覆う第１カップ部と、上記第１カップ部の脇側に位置するとともに、乳房下部の脇側を覆う第２カップ部と、上記第２カップ部の上側に位置するとともに、乳房上部の脇側を覆う第３カップ部と、を備え、肌側の厚みは、上記第１カップ部の方が上記第２カップ部および前記第３カップ部よりも厚い、ことを特徴とする。
【００１０】
本発明によれば、第２カップ部が、肌側の厚みで乳房下部の脇側を包み込むようにして押さえつつ、第１カップ部が、第２カップ部より大きな厚みで乳房下部の前中心側のボリュームを乳房トップ側に押し上げる。これにより、乳房下部のボリュームが、脇側に流れることなく乳房上部に向けて押し上げられる。そして、第３カップ部が、第２カップ部と同程度の厚みで乳房上部の脇側を包み込むようにして押さえるため、上記のようにして乳房上部に押し上げられたボリュームが、乳房上部にあって脇側に流れることなく乳房トップ直上に集まることとなる。このため、柔らかく、重力により下垂して乳房上部に削げが生じるような乳房であっても、乳房上部にボリューム感を持たせることができ、乳房上部の削げを解消できる。
【００１１】
また、本発明では、着用状態で、乳房上部のうち、少なくとも乳房トップ直上から前中心側に至る領域を覆う第４カップ部をさらに備え、肌側の厚みは、上記第２カップ部および上記第３カップ部の方が上記第４カップ部よりも厚いのが好ましい。この場合、第１カップ部、第２カップ部および第３カップ部の方が第４カップ部よりも肌側に厚いため、乳房上部のうち乳房トップ直上に移動したボリュームが、第４カップ部によって潰される（或いは、乳房下部側に戻される）ことなく、乳房トップ直上から前中心側にわたって分散される。これにより、第４カップ部は、乳房に対し、乳房トップ直上から前中心側にわたりほぼ満遍なくフィットした状態となるため、第４カップ部やその上縁部が乳房に食い込んだり、乳房表面から浮いたりする、という不具合が生じにくくなる。これにより、カップの安定性と着用感とが何れも良好となる。
【００１２】
本発明のカップは、乳房を覆うためのカップであって、着用状態で、乳房下部の前中心側を覆う第１カップ部と、上記第１カップ部の脇側に位置するとともに、乳房下部の脇側を覆う第２カップ部と、上記第２カップ部の上側に位置するとともに、乳房上部の脇側を覆う第３カップ部と、を備え、肌側の構成素材は、上記第１カップ部の方が上記第２カップ部および上記第３カップ部より大きく圧縮されている、ことを特徴とする。
【００１３】
本発明によれば、第２カップ部が乳房下部の脇側を包み込むようにして押さえつつ、第２カップ部よりも肌側の構成素材が大きく圧縮された第１カップ部が、乳房下部の前中心側のボリュームを乳房トップ側に押し上げる。これにより、乳房下部のボリュームが、脇側に流れることなく乳房上部に向けて押し上げられる。そして、第２カップ部と同程度に肌側の構成素材が圧縮された第３カップ部が乳房上部の脇側を包み込むようにして押さえるため、上記のようにして乳房上部に押し上げられたボリュームが、乳房上部にあって脇側に流れることなく乳房トップ直上に集まることとなる。このため、柔らかく、重力により下垂して乳房上部に削げが生じるような乳房であっても、乳房上部にボリューム感を持たせることができ、乳房上部の削げを解消できる。
【００１４】
また、本発明では、着用状態で、乳房上部のうち、少なくとも乳房トップ直上から前中心側に至る領域を覆う第４カップ部をさらに備え、肌側の厚みは、上記第２カップ部および上記第３カップ部の方が上記第４カップ部よりも大きく圧縮されているのが好ましい。この場合、第１カップ部、第２カップ部および第３カップ部の方が第４カップ部よりも肌側の構成素材が大きく圧縮されているため、乳房上部のうち乳房トップ直上に移動したボリュームが、第４カップ部によって潰される（或いは、乳房下部側に戻される）ことなく、乳房トップ直上から前中心側にわたって分散される。これにより、第４カップ部は、乳房に対し、乳房トップ直上から前中心側にわたりほぼ満遍なくフィットした状態となるため、第４カップ部やその上縁部が乳房に食い込んだり、乳房表面から浮いたりする、という不具合が生じにくくなる。これにより、カップの安定性と着用感とが何れも良好となる。
【００１５】
本発明のカップ付き女性用衣類は、請求項１〜６のうち何れか一項に記載のカップと、肩ストラップ部と、を各々一対ずつ備え、上記一対の肩ストラップ部の各々は、上記一対のカップの各々に対し脇側の上端に取り付けられている、ことを特徴とする。本発明によれば、上記のカップを備えるため、柔らかく、重力により下垂して上部に削げが生じるような乳房に対しても、装着時の安定性を維持しつつ、乳房上部のボリュームを確実にアップでき、乳房上部の削げの解消が可能となる。この場合、肩ストラップ部によって乳房が上方に支持されるため、乳房下部のボリュームが乳房上部側に移動し易くなる。このため、乳房上部のボリュームをアップさせるには大変効果的となる。
【００１６】
また、本発明では、上記カップのサイズは、５／８カップからフルカップまでの範囲にあるのが好ましい。このようにフルカップかそれに近いカップサイズのため、柔らかくてボリュームの流れが生じやすい乳房に対しても、十分効果的に乳房形状の整形が可能となる。
【発明の効果】
【００１７】
本発明によれば、柔らかく、重力により下垂して上部に削げが生じるような乳房に対し、乳房上部のボリュームを確実にアップでき、削げの解消が可能となる。
【発明を実施するための最良の形態】
【００１８】
本発明に係るカップおよびカップ付き女性用衣類の詳細な構成や機能を、ブラジャーの実施形態により説明する。なお、図表面の説明において、同一要素には同一符号を付し、重複説明は省略する。
【００１９】
＜本実施形態の狙いとコンセプト＞
まず、本実施形態に係るブラジャーの「狙い」と「コンセプト」について説明する。女性の乳房は、一般に、年代に応じて形や硬さが大きく異なる。乳房の形状を整えて美しいプロポーションを創り出すためには、各年代の女性に特有の乳房の形や硬さに応じて乳房形状を整形するのが効果的である。ところで、概ね３０歳代後半から４０歳代前半の女性の乳房の多くは、柔らかく、重力により下垂して乳房上部に削げが生じる、という特徴を有することが知られている。このような、概ね３０歳代後半から４０歳代前半の女性の多くは、バストプロポーションか、あるいは、着用感の安定性か、の何れを重視するかに応じて、それぞれ、３／４カップブラジャーと、フルカップブラジャーと、を適宜使い分けして用いているのが現状である。すなわち、ブラジャーの装着頻度の高い女性は、装着時の安定性（付け心地）を重視するため、３／４カップブラジャーよりもフルカップブラジャーの方を選ぶ傾向にあり、ブラジャーの装着頻度がそれほど高くない女性については、バストプロポーションを重視するため、フルカップブラジャーよりも３／４カップブラジャーの方を選ぶ傾向にある。
【００２０】
しかし、上述のような特徴を有する乳房に対し、乳房上部のボリュームをアップして削げを解消し、バストプロポーションの向上を図ろうとしても、単に脇側と前中心側とに対して乳房トップ側に向けて圧力を加えたり、あるいは、乳房下部を押し上げたりするだけでは、乳房上部にまで十分にボリュームが集まらず、したがって乳房上部の削げの解消までには至らない場合が多い。さらに、乳房上部側へのボリュームの移動が十分でないため、カップが乳房上部にて肌から浮いてしまったり、また、乳房下部を押し上げるようなカップの場合には、押し上げられたボリュームが乳房の脇側や前中心側に流れる、といったことが生じ易くなる。このため、装着時の安定性が低下することとなる。
【００２１】
そこで、本実施形態に係るブラジャーの「狙い」とするところは、上記のような概ね３０歳代後半から４０歳代前半の女性に特有な、柔らかく、重力により下垂して乳房上部に削げが生じる乳房に対し、装着時の安定性を損なうことなく、乳房上部のボリュームを確実にアップして削げを解消し、美しいバストプロポーションを創り出すことである。
【００２２】
そして、本実施形態に係るブラジャーの「コンセプト」は、上記「狙い」とするとろのプロポーションを創り出すため、乳房下部の前中心側に位置する領域のボリュームを乳房トップ側に押し上げ、そして、この押し上げたボリュームが脇側に流れるのを塞き止めつつ、このボリュームを乳房上部に集める、というものである。
【００２３】
上記「コンセプト」は、上記「狙い」とするところのプロポーションを創り出すために本発明者らが鋭意検討した結果得られたものであり、以下、図１を参照してこれを説明する。図１は、本実施形態に係るブラジャーのコンセプトを説明するための図であり、柔らかく、重力により下垂して上部に削げが生じるような女性の右側乳房を表している。ここでは、右側乳房に対し四つの乳房領域Ａ１〜Ａ４を割り当てて説明する。乳房領域Ａ１は乳房下部の前中心側に位置し、乳房領域Ａ２は乳房下部の脇側に位置し、乳房領域Ａ３は乳房上部の脇側に位置し、乳房領域Ａ４は乳房上部にあって乳房トップ直上に位置する。
【００２４】
まず、乳房領域Ａ１のボリュームを乳房トップ側に向かう方向の沿って押し上げるとともに、乳房領域Ａ２を包み込むようにして押さえて、この押し上げられたボリュームが脇側に流れるのを塞き止める。これにより、下垂して乳房下部に集まっているボリュームが乳房上部に向けて押し上げられる。さらに、乳房領域Ａ３を包み込むようにして押さえて、上記のようにして乳房上部に押し上げられたボリュームを、乳房上部にあって乳房トップ直上に位置する乳房領域Ａ４に集める。このため、柔らかく、重力により下垂して乳房上部に削げが生じるような乳房であっても、乳房上部にボリューム感を持たせることが可能となり、上記「狙い」とするところのバストプロポーションが創出可能となる。
【００２５】
＜本実施形態の構成と機能＞
以下、図２を参照して、上述の「コンセプト」に基づく本実施形態に係るブラジャーの構成および機能について説明する。図２は、本実施形態に係るブラジャーの構成を示す表面側の斜視図である。
【００２６】
図２に示すように、本実施形態に係るブラジャー１０は、左右乳房の各々を覆う左右一対のカップ部１１と、各カップ部１１の脇側から下側に延びる湾曲線に取り付けられた土台部１２と、この土台部１２の左右両端部にそれぞれ取り付けられた左右一対のバック部１３と、左右それぞれのカップ部１１およびバック部１３に取り付けられて左右それぞれの側でカップ部１１とバック部１３とをかけ渡す左右一対の肩ストラップ部１４と、を備える。ここで、カップ部１１のカップサイズは、５／８カップからフルカップの範囲内にあるとする。以下、ブラジャー１０は左右対称な形状となっているため、右側のみについて説明する。ここで「左」「右」の記載は着用者の視点を基準としたものである(以下同様)。
【００２７】
カップ部１１は、第１カップ部１１ａ、第２カップ部１１ｂ、第３カップ部１１ｃおよび第４カップ部１１ｄを有する。これら各カップ部は、何れも、布材（不織布を含む）によって構成され、縫着などにより接合されている。第１カップ部１１ａは、着用状態で、乳房下部の前中心側に位置する乳房領域Ａ１を覆い、第２カップ部１１ｂは、乳房下部の脇側に位置する乳房領域Ａ２を包み込むようにして覆い、第３カップ部１１ｃは、乳房上部の脇側に位置する乳房領域Ａ３を包み込むようにして覆い、第４カップ部１１ｄは、乳房上部にあって乳房トップ直上に位置する乳房領域Ａ４の少なくとも下側部分を覆う（図１参照）。
【００２８】
そして、カップ部１１には、前中心側の縁部から脇側の縁部にかけて延びる縫着ラインＢ１と、この縫着ラインＢ１の略中央から下側の縁部にかけて延びる縫着ラインＢ２と、肩ストラップ部１４の取り付け箇所から上記縫着ラインＢ１に近づきつつ前中心側にかけて延びる縫着ラインＢ３と、が形成されている。縫着ラインＢ１は、第１カップ部１１ａおよび第２カップ部１１ｂと、第３カップ部１１ｃと、間の継ぎ目であり、縫着ラインＢ２は、第１カップ部１１ａと第２カップ部１１ｂとの間の継ぎ目であり、縫着ラインＢ３は、第４カップ部１１ｄと第３カップ部１１ｃとの間の継ぎ目である。また、縫着ラインＢ１と縫着ラインＢ２との交点を含む領域Ｂ４は、着用状態で乳房トップを覆う領域となっている。
【００２９】
第１カップ部１１ａ、第２カップ部１１ｂ、第３カップ部１１ｃおよび第４カップ部１１ｄは、何れも、外力が加わった際に、カップ部本来の形状を保とうとする作用（保形作用）を有している。この保形作用は、肌側の厚み（例えば平均値としての厚み）によって調整されており、肌側に厚いほど保形作用が大きい。そこで、本実施形態に係るカップ部１１では、第１カップ部１１ａの肌側の厚みは、第２カップ部１１ｂまたは第３カップ部１１ｃの肌側の厚みの１．２〜３倍となっている。
【００３０】
なお、カップ部１１は、保形作用の大きさが肌側の厚みで調整されたものとしたが、これに限らず、保形作用の大きさが肌側の構成素材に対する圧縮の程度（圧縮率）により調整されたものであっても良い。この場合、肌側の構成素材が大きく圧縮されているほど、クッション性（伸縮性）が低下して硬くなり、保形作用が大きい。そこで、第１カップ部１１ａの肌側の構成素材の圧縮率は、第２カップ部１１ｂまたは第３カップ部１１ｃの肌側の構成素材の圧縮率の１．２〜１．５倍となっている。
【００３１】
図２に戻って説明を続ける。土台部１２は、伸縮性を有する布材（不織布を含む）によって構成され、カップ部１１に縫着などにより取り付けられている。バック部１３は、布材（不織布を含む）によって構成され、土台部１２の左右各端部に縫着などにより取り付けられている。この左右一対のバック部１３の各端部には、この各端部同士を互いに連結させてブラジャー１０を身体に装着するための図示しない係合部材（例えば、雄型フックと雌型フック）がそれぞれ取り付けられている。
【００３２】
肩ストラップ部１４は、布材（不織布を含む）によって構成され、上カップ部１１ａおよび土台部１２に対し縫着などによって取り付けられている。そして、カップ部１１に対する肩ストラップ部１４の取り付け位置は、フルカップ〜５／８カップにおける取り付け位置となっている。したがって、肩ストラップ部１４によって、乳房が上方に支持されるため、乳房下部のボリュームが乳房上部側に移動し易くなる。このため、肩ストラップ部１４は、乳房上部のボリュームをアップさせるには大変効果的となる。このように、本実施形態に係るブラジャー１０は、いわゆる肩ストラップ付きブラジャーに対し特に好適である。
【００３３】
以上説明したように、上記構成を有するブラジャー１０では、第２カップ部１１ｂが、その保形作用によって乳房領域Ａ２を包み込むようにして押さえつつ、第１カップ部１１ａが、さらに大きな保形作用で乳房領域Ａ１のボリュームを乳房トップ側に向かう方向に沿って押し上げる。これにより、下垂して乳房下部に集まっているボリュームが、脇側に流れることなく乳房上部に向けて押し上げられる。そして、第３カップ部１１ｃが、第２カップ部１１ｂと同程度の保形作用で乳房領域Ａ３を包み込むようにして押さえるため、上記のようにして乳房上部に押し上げられたボリュームが、特に、乳房上部にあって乳房トップ直上に位置する乳房領域Ａ４に集まることとなる。このようにして、柔らかく、重力により下垂して乳房上部に削げが生じるような乳房に対し、乳房上部にボリューム感を持たせ、乳房上部の削げを解消することが可能となる。さらに、乳房下部から押し上げられたボリュームが乳房上部に至らずに脇側や前中心側に流れて脇側や前中心側のボリュームが増大する、という現象が起こりにくくなるため、脇側や前中心側でカップ部１１が乳房に食い込むといった不具合が生じにくく、良好な着用感が得られることとなる。さらに、第１カップ部１１ａ、第２カップ部１１ｂおよび第３カップ部１１ｃの方が第４カップ部１１ｄよりも保形作用が大きいため、乳房上部のうち乳房トップ直上に移動したボリュームが、第４カップ部１１ｄによって潰される（或いは、乳房下部側に戻される）ことなく、乳房トップ直上から前中心側にわたって分散される。これにより、第４カップ部１１ｄは、乳房に対し、乳房トップ直上から前中心側にわたってほぼ満遍なくフィットした状態となるため、第４カップ部１１ｄやその上縁部が乳房に食い込んだり、乳房表面から浮いたりする、という不具合が生じにくくなる。これにより、カップ部１１の安定性と着用感とが何れも良好となる。
【００３４】
＜本実施形態のブラジャーに対する評価＞
次に、本実施形態に係るブラジャーに対して行った評価試験の結果について説明する。本評価試験では、複数の女性モニターの各々に、本実施形態に係るブラジャー１０（実施例のブラジャー、という）と、従来型のフルカップブラジャー（比較例１のブラジャー、という）および３／４カップブラジャー（比較例２のブラジャー、という）と、をそれぞれ装着させ、着用時における乳房上部の様子と、バストプロポーションと、をそれぞれ評価した。ここで、女性モニターは、柔らかく、重力により下垂して上部に削げが生じる乳房を有している。
【００３５】
まず、着用時における乳房上部の様子についての評価結果を図３を参照して説明する。図３は、着用時における乳房上部の様子を説明するための図である。図３に示す乳房領域Ｃ１は、図１に示す乳房領域Ａ４の乳房トップ直上に位置する領域であり、乳房領域Ｃ２は、乳房領域Ａ４の前中心側に位置する領域である。比較例１のブラジャーを装着した場合、乳房領域Ｃ１では削げが生じ、さらに、乳房領域Ｃ２では、ブラジャーの上縁（ブラジャー１０の第４カップ部１１ｄの上縁に対応する部分、以下同様）が乳房に食い込んでしまった。また、比較例２のブラジャーを装着した場合、乳房領域Ｃ１では目立った削げは生じなかったが、乳房領域Ｃ２では、ブラジャーの上縁が乳房表面から浮いてしまった。これに対し、実施例のブラジャーを装着した場合、領域Ｃ１では目立った削げは生じず、さらに、乳房領域Ｃ２では、ブラジャーの上縁が乳房に食い込んだり、または、乳房表面から浮いてしまう、といった不具合は生じなかった。
【００３６】
次に、バストプロポーションの評価結果について説明する。はじめに、実施例のブラジャーと比較例１のブラジャーとを上記女性モニターに装着させた後、「どちらのバストプロポーションが良いと感じるか」という質問を行った。これに対し、多くのモニターが「実施例１のブラジャーの方がかなり良い」と答えたが、「強いて言えば実施例１のブラジャーの方が良い」、「実施例１のブラジャーと比較例１のブラジャーのうち、どちらが良いとは言えない」あるいは「強いて言えば比較例１のブラジャーの方が良い」と答えたモニターもいた。しかし、「比較例１のブラジャーの方がかなり良い」と答えたモニターは一人もいなかった。そして、上記モニターの中には、実施例のブラジャーに対し「カップ上側に丸みが出る」、「自分のバストにピッタリ合っている」、「下から持ち上げられている」という感想を持った者や、比較例１のブラジャーに対し「上縁が乳房に食い込む」、「胸元が削げて見える」、「カップ上側に押さえ付けられる」という感想を持った者もいた。
【００３７】
次に、実施例のブラジャーと比較例２のブラジャーとを上記女性モニターに装着させた後、「どちらのバストプロポーションが良いと感じるか」という質問を行った。これに対し、多くのモニターが「実施例１のブラジャーの方がかなり良い」と答えたが、「強いて言えば実施例１のブラジャーの方が良い」、「実施例１のブラジャーと比較例１のブラジャーのうち、どちらが良いとは言えない」、「強いて言えば比較例１のブラジャーの方が良い」あるいは「比較例１のブラジャーの方がかなり良い」と答えモニターもいた。そして、上記モニターの中には、実施例のブラジャーに対し「上縁のラインがきれい」、「自分のバストにピッタリ合っている」、「バストアップしている」という感想を持った者や、比較例２のブラジャーに対し「寄せて上げている」、「ボリュームアップしている」、「作り物のバストに見える」、「カップに隙間ができる」という感想を持った者もいた。
【００３８】
なお、本発明のカップ付き女性用衣類としては、上述の本実施形態に係るブラジャーに限らず、ボディースーツなどの他のファンデーション衣類や、水着、レオタードなどに対しても適用可能である。また、本実施形態に係るブラジャー１０は、カップ部１１の下側にワイヤーが取り付けられたものであっても良いし、ワイヤーが取り付けられていないものであっても良い。
【図面の簡単な説明】
【００３９】
【図１】実施形態に係るブラジャーのコンセプトを説明するための図である。
【図２】実施形態に係るブラジャーの構成を示す斜視図である。
【図３】実施形態に係るブラジャーに対する評価結果を説明するために用いる図である。
【符号の説明】
【００４０】
１０…ブラジャー、１１…カップ部、１１ａ…第１カップ部、１１ｃ…第３カップ部、１１ｄ…第４カップ部、１１ｂ…第２カップ部、１２…土台部、１３…バック部、１４…肩ストラップ部、１５…ワイヤー部
【図１】
2006132048.tif 000003
【図２】
2006132048.tif 000004
【図３】
2006132048.tif 000005